(57)【特許請求の範囲】
【請求項１】
過給タービン（１）を有するディーゼルエンジンにより発生され、かつ一酸化炭素、炭化水素及び微粒子に加え、０．３〜０．７のＮＯ2／ＮＯx比を有する窒素酸化物を含有する排ガスを浄化するにあたり、前記排ガスを、前記窒素酸化物を窒素に還元するためのＳＣＲ触媒コンバータ（３）を経て、一酸化炭素及び炭化水素をＣＯ2に酸化するための酸化触媒コンバータ（４）を経て、かつ微粒子を除去するためのディーゼル微粒子フィルタ（５）に導く浄化方法であって、
ＳＣＲ触媒コンバータ（３）が、ゼオライトの質量を基準として０．１〜１０質量％の遷移金属含量を有する、遷移金属交換されたゼオライト化合物を含んでなり、その際に前記ゼオライト化合物がチャバザイトであり、かつ前記遷移金属が銅であり、かつＳＣＲ反応用の還元剤として、尿素溶液、又はアンモニアを遊離する他の水溶性化合物の溶液を使用し、前記還元剤を過給タービン（１）の上流の排出部中へ調量する
ことを特徴とする、排ガスの浄化方法。
【請求項２】
ディーゼル微粒子フィルタ（５）の再生のための燃料後噴射がＳＣＲ触媒コンバータ（３）の流入側に、及び燃料の触媒燃焼が、ＳＣＲ触媒コンバータの流出側に配置された酸化触媒コンバータ（４）上で、行われる、請求項１記載の方法。
【請求項３】
ディーゼル微粒子フィルタ（５）の再生のための燃料後噴射が、酸化触媒コンバータ（４）と、ディーゼル微粒子フィルタ（５）との間で、及び燃料の触媒燃焼が、ディーゼル微粒子フィルタ（５）上へ施与されている酸化触媒活性コーティング上で、又はディーゼル微粒子フィルタ（５）の上流に直接接続され、かつ加熱触媒コンバータとして作用する第二の酸化触媒コンバータ上で、行われる、請求項１記載の方法。
【請求項４】
過給タービン（１）を有するディーゼルエンジンにより発生され、かつ一酸化炭素、炭化水素及び微粒子に加え、０．３〜０．７のＮＯ2／ＮＯx比を有する窒素酸化物を含有する排ガスを浄化するための装置であって、排ガスの流動方向へ配列して、
ｉ）還元剤溜めからの還元剤溶液用の調量装置（２）、
ｉｉ）窒素酸化物を還元するためのＳＣＲ触媒コンバータ（３）、
ｉｉｉ）一酸化炭素及び炭化水素を酸化するための酸化触媒コンバータ（４）及び
ｉｖ）ディーゼル微粒子フィルタ（５）
を含んでなり、
ＳＣＲ触媒コンバータが、ゼオライトの質量を基準として０．１〜１０質量％の遷移金属含量を有する、遷移金属交換されたゼオライト化合物を含んでなり、その際に前記ゼオライト化合物がチャバザイトであり、かつ前記遷移金属が銅であり、かつ
還元剤溶液用の調量装置（２）は、過給タービンの流入側に配置されている、排ガス浄化装置。
【請求項５】
ＳＣＲ触媒コンバータ（３）及び酸化触媒コンバータ（４）が、エンジン近くの位置で及び同じハウジング中に配置されている、請求項４記載の装置。
【請求項６】
酸化触媒コンバータ（４）が、触媒コーティングの形で、１平方センチメートルあたり６２〜１２４セルのセル密度を有する、金属ハニカム体又は壁厚０．０６〜０．１ミリメートルを有するセラミック薄壁ハニカム体を含む担体上に存在し、かつ触媒コンバータ体積を基準として貴金属０．３５〜７g/Lを含有し、その際に貴金属が、白金、パラジウム、ロジウム、イリジウム、ルテニウム及びそれらの混合物からなる群から選択されている、請求項４又は５記載の装置。
【請求項７】
貴金属として白金がパラジウムとの組合せで使用され、かつ白金：パラジウム比が１０：１〜１：５である、請求項６記載の装置。
【請求項８】
ディーゼル微粒子フィルタ（５）が、セラミック材料又は炭化ケイ素製の触媒コーティングされたウォールフローフィルタ基材であり、かつ触媒活性コーティングが、ディーゼル微粒子フィルタの体積を基準として、白金、パラジウム及びそれらの混合物からなる群から選択される貴金属０．１５〜２g/Lを含有する、請求項４から７までのいずれか１項記載の装置。
【請求項９】
ディーゼル車両の排ガスを浄化するための、請求項４から８までのいずれか１項記載の装置の使用。
【発明の詳細な説明】
【技術分野】
【０００１】
本発明は、過給タービン(charging turbine)を有するディーゼルエンジンにより発生される排ガスの浄化方法、並びにこの方法を実施するための、排ガスの流動方向で還元剤用の調量装置、ＳＣＲ触媒コンバータ、酸化触媒コンバータ及びディーゼル微粒子フィルタを含んでなる特別な装置に関する。
【０００２】
ディーゼルエンジンの未処理排ガスは、一酸化炭素ＣＯ、炭化水素ＨＣ及び窒素酸化物ＮＯxに加え、１５体積％までの相対的に高い酸素含量を含有する。そのうえ、前記未処理排ガスは、主にすす残留物及び場合により有機凝集物からなり、かつシリンダー中の燃料の部分不完全燃焼に起因する微粒子排出物を含有する。
【０００３】
将来、欧州、北米及び日本において適用されるディーゼル車両についての法的排ガス極限値を遵守するには、排ガスから微粒子及び窒素酸化物を同時に除去することが必要である。汚染ガスである一酸化炭素及び炭化水素は、リーン排ガスから、適した酸化触媒コンバータ上での酸化により容易に無害にされることができる。追加の触媒活性コーティングを有するか又は有しないディーゼル微粒子フィルタは、微粒子排出物の除去に適た装置である。窒素酸化物から窒素への還元（排ガスの"脱硝(denitrogenization)"）は、高い酸素含量のためにより難しい。知られた１つの方法は、ＳＣＲ触媒コンバータとも略す、適した触媒コンバータ上での窒素酸化物の選択接触還元（選択接触還元ＳＣＲ）である。前記方法は、現在、ディーゼルエンジン排ガスの脱硝に好ましい。排ガス中に含まれる窒素酸化物の減少は、ＳＣＲ法において、外部源から排出部(exhaust section)中へ調量される還元剤の助けを借りて行われる。還元剤として、好ましくはアンモニア又はアンモニアを遊離する化合物、例えば尿素又はカルバミン酸アンモニウムが使用される。場合により前駆物質化合物からその場で(in situ)発生されるアンモニアは、ＳＣＲ触媒コンバータ上で排ガスからの窒素酸化物と、均化反応(comproportionation reaction)において反応して窒素及び水を形成する。
【０００４】
現在、来たるべき法的規制を満足するためには、異なる排ガス浄化装置の組合せが不可避である。ディーゼルエンジン排ガスを浄化する装置は、少なくとも１つの酸化活性触媒コンバータと、脱硝のために、還元剤（好ましくはアンモニア又は尿素溶液）を導入する上流の装置及び外部還元剤源（例えば尿素溶液を有する補助タンク又はアンモニア貯蔵物）を備えたＳＣＲ触媒コンバータとを有する。エンジン燃焼の最適化によっては、微粒子排出物が酸素での直接酸化により酸化触媒コンバータによって除去されることができるように微粒子排出物を十分に低く維持することが不可能である場合には、微粒子フィルタの使用が追加的に必要である。
【０００５】
相応する排ガス浄化システムは既に記載されており；幾つかは、現在、実用試験の段階にある。
【０００６】
例えば、欧州特許(EP-B)第1 054 722号明細書には、ＮＯx及び微粒子含有ディーゼル排ガスの処理システムが記載されており、前記システム中で、酸化触媒コンバータは、微粒子フィルタの上流に接続されている。微粒子フィルタの流出側に、還元剤源と、還元剤用の調量装置と、並びにＳＣＲ触媒コンバータとが配置されている。
【０００７】
米国特許出願公開(US)第2007/0044456号明細書には、排ガス後処理システムが記載されており、このシステムは、尿素−ＳＣＲ触媒コンバータ（好ましくは、２００〜５００℃の温度範囲内で最適ＮＯx転化値を有する遷移金属／ゼオライト配合物）の流入側に酸化触媒コンバータ（白金含有貴金属触媒コンバータ）を、及びＳＣＲ触媒コンバータの流出側にディーゼル微粒子フィルタを有する。尿素用の調量装置は、酸化触媒コンバータとＳＣＲ触媒コンバータとの間に配置されている。
【０００８】
双方のシステムは、前記エンジンにより発生される未処理排ガスが、第一の後処理工程において酸化触媒コンバータに導かれることが共通している。本発明者らは目下、第一の排ガス後処理段階として酸化触媒コンバータを含んでなるこの種のシステムが、例えばＥＵ−ＶＩ車両に設けられている最新型のディーゼルエンジンの排ガスを、所定の酸化窒素排出物極限値が遵守されることができる程度に浄化するには、追加の補助手段を含めずには適していないことを立証した。
【０００９】
本発明の課題は、過給タービンを有する最新型のディーゼルエンジンの排ガスが、将来的な法的排出物極限値でさえも、追加の補助手段なしで遵守されることができる程度に浄化されることができる、排ガス浄化システム（方法及び装置）を提供することである。
【００１０】
この課題は、過給タービンを有するディーゼルエンジンにより発生され、かつ一酸化炭素、炭化水素及び微粒子に加え、０．３〜０．７のＮＯ2／ＮＯx比を有する窒素酸化物を含有する排ガスの浄化方法によって達成され、その際に前記排ガスは、前記窒素酸化物を窒素に還元するためのＳＣＲ触媒コンバータを経て、一酸化炭素及び炭化水素をＣＯ2に酸化するための酸化触媒コンバータを経て、かつ微粒子を除去するためのディーゼル微粒子フィルタに導かれる。本方法は、ＳＣＲ反応用の還元剤として尿素溶液又はアンモニアを遊離する一部の他の水溶性化合物の溶液を使用し、かつこの還元剤を過給タービンの上流の排出部中へ調量することにより特徴付けられている。本発明による方法を実施するために、これらの排ガスの浄化装置が提供される。この装置は、排ガスの流動方向へ配置され、還元剤溜めからの還元剤溶液用の調量装置、窒素酸化物を還元するためのＳＣＲ触媒コンバータ、一酸化炭素及び炭化水素を酸化するための酸化触媒コンバータ及びディーゼル微粒子フィルタを含んでなる。
【００１１】
ＳＣＲ触媒コンバータに最適なＮＯ／ＮＯ2比は、現在知られた全てのＳＣＲ触媒コンバータについて約１である。ＮＯ2／ＮＯx比として明記される、最適な比は０．３〜０．７である。この比が欧州特許(EP-B)第1 054 722号明細書によるかもしくは米国特許出願公開(US)第2007/0044456号明細書によるシステム中のＳＣＲ触媒コンバータの上流で得られるかどうかは、排ガス温度、ひいては前記エンジンの運転状態及び酸化触媒コンバータの活性に依存する。欧州特許(EP-B)第1 054 722号明細書に記載されたシステムの場合には、別の有力要因として、酸化触媒コンバータに下流に接続されたディーゼル微粒子フィルタの設計及びすすローディングがさらに加わる。
【図面の簡単な説明】
【００１２】
【図１】欧州の標準運転試験サイクルである、New European Driving Cycle NEDCにおける相応するエンジンの未処理排出物のＮＯx中のＮＯ2割合及び排ガス温度プロフィルを示すグラフ。
【図２】北米の標準運転試験サイクルＦＴＰ−７５における運転についての同じエンジンの関連した排出物データ及び排ガス温度データを示すグラフ。
【図３】酸化触媒コンバータの上流（図３ａ）及び下流（図３ｂ）での最新型のディーゼルエンジンの排ガス中のＮＯ2濃度の比較を示すグラフ。
【図４】本発明の方法を実施するための請求項６記載の装置の略示図。
【００１３】
最新型のディーゼルエンジンは、これまで常用のディーゼルエンジンとは、かなりより高い排ガス再循環率により相違する。これは、平均排ガス温度の明らかな低下と同時に、未処理排出物のＮＯx中のＮＯ2割合の上昇をまねく。多くの規則的な運転点では、０．３〜０．７のＮＯ2／ＮＯx比が存在する。図１ａは例示的に、欧州の標準運転試験サイクルである、New European Driving Cycle NEDCにおける相応するエンジン（４−シリンダーコモンレールディーゼルエンジン；行程容積２．２l）の未処理排出物のＮＯx中のＮＯ2割合を示す；図１ｂは、付随する排ガス温度プロフィルを示す。図２には、北米の標準運転試験サイクルＦＴＰ−７５における運転についての同じエンジンの関連した排出物データ及び排ガス温度データが示されている（ａ：未処理排出物中のＮＯ2割合；ｂ：排ガス温度水準）。
【００１４】
変更された境界条件は、第一の排ガス後処理段階における最新型のディーゼルエンジンの未処理排ガスの酸化触媒コンバータへの導通が、欧州特許(EP-B)第1 054 722号明細書に記載されるように、ＮＯからＮＯ2への少なくとも部分酸化、ひいてはＮＯ2／ＮＯx比の増大をもはやまねかないという結果を有する。本発明者らは、実際のところ、酸化触媒コンバータが、生じる運転条件下でＮＯ2を費消する(deplete)ように作用することを見出した。図３は、酸化触媒コンバータの上流（図３ａ）及び下流（図３ｂ）での最新型のディーゼルエンジンの排ガス中のＮＯ2濃度の比較を示す。ＮＯ2含量が、酸化触媒コンバータを通ってかなり減少されることが明らかにわかる。このＮＯ2還元は、しかしながら排ガスの脱硝に、すなわち排ガス中の全ＮＯx含量の有意な減少に付随していない。より低い排ガス温度水準のために、酸化触媒コンバータを通って費消されたＮＯ2は、欧州特許(EP-B)第1 054 722号明細書により排ガスシステムの終わりに配置されたＳＣＲ触媒コンバータを通る酸化により、もはや再発生されることができないので、下流のＳＣＲ触媒コンバータは、最適な脱硝作用をもはや有しない。こうして、低負荷運転点及び部分負荷運転点では、しばしば大量のＮＯx突破が起こり；将来のより厳しい酸化窒素排出物極限値を超える。
【００１５】
本発明による排ガス浄化システムにおいて、過給タービンを有するディーゼルエンジンに由来する排ガスは、まず最初にＳＣＲ触媒コンバータを導通することにより、意図的に窒素酸化物を含まない。これらの新しいエンジンの排ガスは、平均して、ＳＣＲ反応について０．３〜０．７のほぼ最適なＮＯ2／ＮＯx比を有するので、前記エンジンの全ての運転点で、排ガス温度が２００℃を下回るコールドスタート点及び低負荷点でさえも、最適な脱硝率が得られることができる。ＳＣＲ反応における還元剤として、尿素又はアンモニアを遊離する他の水溶性化合物が使用される。この還元剤溶液は、過給タービンの上流の排出部中へ調量されるので、過給タービンが還元剤及び排ガスの均質化のための混合構成要素として使用されることができ、かつ還元剤からアンモニアへの加水分解反応が、前記エンジンの全ての運転点で、この点で少なくとも１８０℃の高められた温度水準のために、保証されることができる。
【００１６】
前記の手段により、本発明によるシステムの第一の排ガス後処理段階における効率的な脱硝性能が保証される。このこと及びディーゼル微粒子フィルタが、排ガス導通管の終わりに、ひいては最も冷たい位置に配置されているという事実は、本発明によるシステムにおいて、その場で行われるＮＯ2でのすすの焼き切りが２８０℃を上回る温度で行われるディーゼル微粒子フィルタの受動再生が補助されないことをまねく。その結果、臨界排ガス逆圧値を超える際に、ディーゼル微粒子フィルタは能動的に再生されなければならない。その際、前記フィルタ上に堆積されたすすの焼き切りに必要とされる温度は、排出部中への燃料後噴射及び燃料の触媒燃焼により発生される。好ましい一実施態様において、燃料後噴射は、ＳＣＲ触媒コンバータの流入側で行われる。噴射された燃料は、ＳＣＲ触媒コンバータの流出側に配置された酸化触媒コンバータ上で触媒燃焼される。生じる発熱反応は、下流に接続されたディーゼル微粒子フィルタ中の温度を、すす着火温度を上回る値に高めるのに十分である。選択的な実施態様において、燃料後噴射は、酸化触媒コンバータとディーゼル微粒子フィルタとの間で行われる。燃料の触媒燃焼は、例えばディーゼル微粒子フィルタ上へ施与されている酸化触媒活性コーティング上で行われることができる。選択的に、加熱触媒コンバータとして作用する第二の酸化触媒コンバータが、ディーゼル微粒子フィルタの上流に直接接続されることができる。最後の２つの実施態様は、能動的な微粒子フィルタ再生に必要とされる燃料量が、ＳＣＲ触媒コンバータを通って炭化水素夾雑物(ballast)として引きずられる必要がないという利点を有する。そのために、ＳＣＲ触媒コンバータの汚染リスクは明らかに減少される。さらに、そのような実施態様において、ディーゼル微粒子フィルタの触媒活性コーティング並びに場合により上流に接続される加熱触媒コンバータの触媒活性コーティングは、他の排ガス浄化課題との目的の矛盾を受け入れる必要なく、排ガスの微粒子浄化及び前記微粒子フィルタ再生の必要条件に最適に適合されることができる。
【００１７】
図４は、前記の方法を実施するための請求項６記載の装置の略示図を示す。排ガスの流れ方向が矢印により特徴付けられている、最新型のディーゼルエンジンにより発生される排ガスは、前記装置中への入口で、通常の排出物である一酸化炭素、炭化水素及び微粒子に加え、０．３〜０．７のＮＯ2／ＮＯx比を有する窒素酸化物を含有する。排ガスは過給タービン（１）を通過する前になお、排ガスに、還元剤溶液は還元剤溜め（２）から調量装置を経て供給される。還元剤溶液として、好ましくは尿素溶液、又はアンモニアを遊離する一部の他の水溶性化合物の溶液が使用され、この溶液は相応するタンクから常用の噴射装置を経て供給される。過給タービンの通過の際に、還元剤溶液の加水分解に加え、還元剤及び排ガスのほぼ完全な均質化が行われる。過給タービンの流出側に、エンジン近くの位置で、排ガス中に含有している窒素酸化物を、前記還元剤溶液の加水分解から発生されるアンモニアで、窒素に還元するＳＣＲ触媒コンバータ（３）が配置されている。その後はじめて、流出側に配置される酸化触媒コンバータ（４）中で一酸化炭素（ＣＯ）及び炭化水素（ＨＣ）は、二酸化炭素（ＣＯ2）に酸化されることにより無害にされる。場合により排ガス中になお含有している、ＳＣＲ触媒コンバータ中で消費されなかったアンモニアは、酸化触媒コンバータ中で酸化により同様に除去される。排ガスシステム全体での温度損失をできる限り僅かに維持し、かつこうしてできるだけ高いＣＯ及びＨＣ転化率を保証するために、酸化触媒コンバータは、好ましくは同様にエンジン近くに、好ましくはＳＣＲ触媒コンバータ（３）と同じハウジング中に配置されている。このハウジングを去る排ガスは、無害な成分に加え、わずかにのみ微粒子を含有する。前記排ガスは、さらに組立空間(installation space)の理由から、好ましくは車両の底部領域に配置されるディーゼル微粒子フィルタ（５）に流れ、前記排ガスが前記ディーゼル微粒子フィルタ（５）を通過する際に微粒子は濾過分離されるので、前記システムの終わりで法的要求を満たす排ガスが大気中へ排出される。
【００１８】
本発明による装置をできるだけ効果的にかつ高い排ガス浄化効率で運転できるように、的確な応用設計に加え、適した触媒コンバータの選択が幾つか重要である。
【００１９】
こうして、前記装置の流入側の終わりのエンジン近くのＳＣＲ触媒コンバータの配置は、使用されるＳＣＲ触媒コンバータが、炭化水素に対するできるだけ高い汚染耐性を、８００℃までの温度での十分な熱老化安定性に加え有するべきであることを要求する。全ての常用のＳＣＲ触媒コンバータ技術は、これらの要求を満たすことができない。こうして、例えば米国特許(US)第4,961,917号明細書に記載されているような、常用のゼオライトＳＣＲ触媒コンバータは、それらの大きなゼオライト孔幅に基づき、ゼオライト骨格中へ炭化水素を挿入する傾向があり、このことは、これらの触媒コンバータの機能様式に本質的なアンモニア貯蔵サイト及び触媒遷移金属反応中心の閉塞をまねき、かつこれらの触媒の活性は明らかに低下しうる。常用の五酸化バナジウムをベースとするＳＣＲ触媒コンバータはたいてい、十分な熱老化安定性を有しない。
【００２０】
故に、本発明による装置中で、例えば国際公開(WO)第2008/049491号に記載されているような、好ましくは酸化セリウムをベースとするＳＣＲ技術が使用される。チャネルのより小さい幅の最大値(greatest lower duct width)が２．６〜４．２オングストローム（Å）であり、好ましくはチャネルのより小さい幅の最大値が４．０±０．１Åの値を超えない遷移金属交換されたゼオライト化合物又はゼオライト類似材料をベースとするＳＣＲ触媒コンバータが特に好ましい。このタイプのＳＣＲ触媒コンバータは好ましくは、ＳＡＰＯ−３４、フェリエライト、ＳＡＰＯ−１１、チャバザイト、エリオナイト及びそれらの混合物からなる群から選択されるゼオライト又はゼオライト類似材料を含有し、これらはゼオライトもしくはゼオライト類似材料の質量を基準として０．１〜１０質量％の遷移金属含量を有し、その際に前記遷移金属は、特に好ましくは鉄、銅及びそれらの混合物から選択されている。
【００２１】
ＳＣＲ触媒コンバータの流出側に配置される酸化触媒コンバータのためには、とりわけ技術水準による装置中よりもより冷たい排ガス温度水準により通常特徴付けられる取り付け位置は、前記触媒コンバータが、最大１５０℃の炭化水素酸化及び一酸化炭素酸化についての着火温度（ライトオフ温度）を有するべきであることを要求する。これらの要求を満たすには、酸化触媒コンバータ中で、技術水準によるシステム中に比べて高められた貴金属含量を使用することが有利である。本発明による装置中で、酸化触媒コンバータを貫流する排ガスは既に脱硝されているので、良好なＮＯ転化率を省くことが可能である。それゆえ、全体的に高くなりすぎる貴金属量によりまず最初に予測されうる考えられる多数のコストが、さもなければ通常の高い割合の白金の代わりに、より多量のより安価なパラジウムが触媒活性成分として使用されることにより補償されることができる。好ましくは、本発明による装置中で使用される酸化触媒コンバータは、前記触媒コンバータ体積を基準として、貴金属を１リットルあたり０．３５〜７グラム[g/L]、特に好ましくは３〜５g/L含有する。前記貴金属は、白金、パラジウム、ロジウム、イリジウム、ルテニウム及びそれらの混合物からなる群から選択されているべきである。好ましくは、白金は、パラジウムとの組合せで使用されるが、しかしながらコストの理由から、ロジウムは使用されない。白金：パラジウム比は、１０：１〜１：５、好ましくは８：１〜１：１、特に好ましくは５：１〜２：１であるべきである。
【００２２】
酸化触媒コンバータの良好なライトオフ挙動を保証するために、酸化触媒コンバータが、触媒コーティングの形で、迅速に暖まる担体上に存在する場合が有利である。そのような担体は、例えば、標準セル密度(cell densities)（１平方センチメートルあたり６２〜１２４セル）を有する金属ハニカム体又はセラミック薄壁ハニカム体（壁厚：０．０６〜０．１ミリメートル）を含みうる。
【００２３】
ディーゼル微粒子フィルタとして、本発明による装置中で、好ましくは、セラミック材料又は炭化ケイ素製の触媒コーティングされたウォールフローフィルタ基材が使用される。前記触媒コーティングは、これが一方ではすす着火温度をできる限り効率的に低下させ、他方では炭化水素酸化においてできるだけ低い着火温度を示して、能動的な微粒子フィルタ再生の際に、場合によりフィルタ入口中に存在している未燃焼炭化水素をできる限り迅速に焼き切り、かつそれによりすす着火温度の達成に必要な発熱反応の発生のためにできる限り効率的に寄与できるようであるべきである。能動的なフィルタ再生段階の間のディーゼル微粒子フィルタの規則運転のためには、前記触媒コーティングが、場合により酸化触媒コンバータを突破する炭化水素と、過剰のアンモニアの過剰酸化から生じる窒素酸化物とが互いに窒素、二酸化炭素及び水に反応されることができるようである場合にさらに有利である（いわゆる"ＨＣ−脱ＮＯx特性"）。これらの機能性を達成するために、前記触媒活性コーティングは、白金、パラジウム及びそれらの混合物からなる群から選択される貴金属を、ディーゼル微粒子フィルタの体積を基準として好ましくは１リットルあたり０．１５〜２グラム[g/L]含有する。貴金属０．３５〜１g/Lが特に好ましい。
【００２４】
例示的に、本発明による装置は、次のものを備えていることができる：
・１平方センチメートルあたり６２セルのセル密度及び０．１７ミリメートルのセル壁厚を有するハニカム体を含んでなるＳＣＲ触媒コンバータ、Ｖ＝３．０L、前記コンバータには、最大４．２Åのチャネルのより小さい幅を有する銅５質量％で交換されたフェリエライト型ゼオライトを含んでなる触媒活性コーティングが設けられている；
・１平方センチメートルあたり６２セルのセル密度及び０．１ミリメートルのセル壁厚を有するセラミックハニカム体を含んでなる酸化触媒コンバータ、Ｖ＝２．０L、前記コンバータには、２００m2/gの活性表面積（ＢＥＴ）を有する均質な二酸化ケイ素−酸化アルミニウム混合酸化物及びγ−酸化アルミニウムの混合物上に、酸化触媒コンバータの体積を基準として、２：１の比の白金及びパラジウム４g/Lを含んでなる触媒活性コーティングが設けられている；及び
・１平方センチメートルあたり４８セルのセル密度及び５０％の多孔度を有するセラミックウォールフローフィルタ基材を含んでなる４．０Lの体積を有する触媒活性化されたディーゼル微粒子フィルタ、前記基材の壁中には、ディーゼル微粒子フィルタの体積を基準として０．９g/Lの貴金属含量及び１：１の白金：パラジウム比を有する触媒活性コーティングが導入されている。
【００２５】
本発明による装置は、ディーゼル車両の排ガスの浄化に、特にターボチャージャー（過給タービン）及び排ガス再循環装置を有するエンジンが使用されるディーゼル乗用車の排ガスの浄化に適している。
【符号の説明】
【００２６】
１  過給タービン、  ２  還元剤溜め、  ３  ＳＣＲ触媒コンバータ、  ４  酸化触媒コンバータ、  ５  ディーゼル微粒子フィルタ
【図１】
0005808247.tif 000002
【図２】
0005808247.tif 000003
【図３】
0005808247.tif 000004
【図４】
0005808247.tif 000005